【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
複数の検体容器を保持するためのラックであって、前記複数の検体容器の種類に応じたラック特定部を下面に有する前記ラックと、
前記ラックが着脱可能にセットされるためのラックセット部と、
前記ラックセット部にセットされた前記ラックの下面に設けられた前記ラック特定部を検知するためのラック検知部と、
検体容器を保持するための容器セット部を有し、少なくとも容器セット位置と吸引位置に前記容器セット部を搬送する搬送部と、
前記搬送部により前記吸引位置に搬送された検体容器から検体を吸引する吸引部と、
前記ラックセット部にセットされた前記ラックから前記複数の検体容器の各々を取り出して前記容器セット位置に位置付けられた前記容器セット部に移送するための容器移送部と、
前記ラック検知部の検知結果に基づいて、前記吸引部の前記検体容器に対する吸引動作を変更可能に制御するための制御部と、を備える、
検体処理装置。
【請求項２】
請求項１に記載の検体処理装置において、
前記制御部は、前記ラック検知部の検知結果に基づいて、前記検体容器に対する前記吸引部の下降量を変更する、
検体処理装置。
【請求項３】
請求項１または請求項２に記載の検体処理装置において、
前記制御部は、前記吸引部による吸引が終わると、前記容器セット部に保持された前記検体容器を前記吸引位置から前記容器セット位置に搬送するように前記搬送部を制御し、前記容器セット位置に位置付けられた前記容器セット部に保持された前記検体容器を前記ラックに戻すように前記容器移送部を制御する、
検体処理装置。
【請求項４】
請求項１ないし３の何れか一項に記載の検体処理装置において、
前記ラック検知部は、複数のセンサを有し、前記ラックは検体容器の種類に応じて異なる位置に前記ラック特定部を有しており、
前記ラック検知部は、前記複数のセンサの少なくとも一のセンサの検知結果に基づいて、前記ラック特定部を検知する、
検体処理装置。
【請求項５】
請求項１ないし４の何れか一項に記載の検体処理装置において、
前記ラックセット部を、筐体内に取り込まれた装着位置と、筐体外に引き出された引出位置との間で移動させるための引き出しをさらに備える、
検体処理装置。
【請求項６】
請求項５に記載の検体処理装置において、
前記ラック検知部は、前記引き出しと一体的に配置されている、
検体処理装置。
【請求項７】
請求項１ないし６の何れか一項に記載の検体処理装置において、
前記ラック特定部は、突起を含み、
前記ラックセット部は、前記ラックがセットされる際に前記突起が進入するための隙間を有し、
前記ラック検知部は、前記隙間に浸入した前記突起を検知する、
検体処理装置。
【請求項８】
請求項１ないし７の何れか一項に記載の検体処理装置において、
前記ラックおよび前記ラックセット部には、それぞれ、前記ラックを前記ラックセット部に載置する際に互いに係合し、前記ラックを所定のセット位置に位置決めする係合部が設けられている、
検体処理装置。
【請求項９】
請求項１ないし８の何れか一項に記載の検体処理装置において、
前記ラックセット部を複数備え、
前記ラック検知部は、前記ラックセット部のそれぞれに対応して配置されている、
検体処理装置。
【請求項１０】
請求項９に記載の検体処理装置において、
表示部をさらに備え、
前記制御部は、前記複数のラックセット部のうちいずれに前記ラックをセット可能であるかを前記表示部に表示させる、
検体処理装置。
【請求項１１】
請求項１０に記載の検体処理装置において、
前記表示部は、前記複数のラックセット部のそれぞれに対応して配置された複数の点灯部を含み、
前記制御部は、
前記ラックをセットすることが可能な前記ラックセット部に対応する前記点灯部を第１表示形態で点灯させ、
前記ラックをセットすることが可能でない前記ラックセット部に対応する前記点灯部を前記第１表示形態とは異なる第２の表示形態で点灯させる、
検体処理装置。
【請求項１２】
請求項９ないし１１の何れか一項に記載の検体処理装置において、
前記制御部は、前記複数のラックセット部のうち一のラックセット部に優先検体を保持するラックがセットされた場合、前記複数のラックセット部のうち他のラックセット部に通常検体を保持する前記ラックが既にセットされていたとしても、前記他のラックセット部にセットされた前記ラックに優先して前記一のラックセット部にセットされた前記ラックの検体容器を移送するよう、前記容器移送部の動作を制御する、
検体処理装置。
【請求項１３】
請求項１ないし１２の何れか一項に記載の検体処理装置において、
前記容器移送部は、前記検体容器を前記ラックから抜き取る際に前記検体容器を把持する把持部を備え、
前記制御部は、前記ラック検知部の検知結果に基づいて、前記検体容器に対する把持位置を変更するように前記把持部を制御する、
検体処理装置。
【請求項１４】
請求項１ないし１３の何れか一項に記載の検体処理装置において、
前記検体容器の検体を攪拌するための攪拌機構をさらに備え、
前記制御部は、前記ラック検知部の検知結果に基づいて、攪拌条件を変更して前記攪拌機構を制御する、
検体処理装置。
【請求項１５】
請求項１ないし１４の何れか一項に記載の検体処理装置に使用されるラックであって、
ラックに収容された検体容器の種類を特定するためのラック特定部を下面に有するラック。
【手続補正２】
【補正対象書類名】明細書
【補正対象項目名】０００５
【補正方法】変更
【補正の内容】
【０００５】
たとえば、検体処理装置には、長さの異なる様々な試料容器が用いられる場合がある。この場合、特許文献１記載の試料分析装置では、試料容器の長さに応じて吸引管が試料容器から検体を吸引する位置を変更するように吸引条件を変更したり、試料容器中の検体を攪拌する攪拌条件を変更したりする必要があった。
【手続補正３】
【補正対象書類名】明細書
【補正対象項目名】０００６
【補正方法】変更
【補正の内容】
【０００６】
かかる課題に鑑み、本発明は、長さの異なる試料容器を用いる場合であってもオペレータに煩雑な操作を要求することなく簡便に使用可能な検体処理装置およびラックを提供することを目的とする。
【手続補正４】
【補正対象書類名】明細書
【補正対象項目名】０００７
【補正方法】変更
【補正の内容】
【０００７】
本発明の第１の態様は、検体処理装置に関する。この態様に係る検体処理装置は、複数の検体容器を保持するためのラックであって、前記複数の検体容器の種類に応じたラック特定部を下面に有するラックと、ラックが着脱可能にセットされるためのラックセット部と、ラックセット部にセットされたラックの下面に設けられたラック特定部を検知するためのラック検知部と、検体容器を保持するための容器セット部を有し、少なくとも容器セット位置と吸引位置に容器セット部を搬送する搬送部と、搬送部により吸引位置に搬送された検体容器から検体を吸引する吸引部と、ラックセット部にセットされたラックから前記複数の検体容器の各々を取り出して前記容器セット位置に位置付けられた前記容器セット部に移送するための容器移送部と、ラック検知部の検知結果に基づいて、吸引部の検体容器に対する吸引動作を変更可能に制御するための制御部と、を備える
【手続補正５】
【補正対象書類名】明細書
【補正対象項目名】０００８
【補正方法】変更
【補正の内容】
【０００８】
本態様に係る検体処理装置によれば、ラックがラックセット部にセットされると、ラック特定部がラック検知部によって検知され、検知結果に応じて吸引部の検体容器に対する吸引動作が変更可能に制御される。このため、検体容器毎に検体の種類を入力するといった煩雑な入力操作を省略でき、操作の簡便化を図ることができる。また、ラック検知部の検知結果に基づいて検体容器に応じた吸引処理が実行されるため、検体容器内の検体を円滑に吸引することができる。
【手続補正６】
【補正対象書類名】明細書
【補正対象項目名】００１１
【補正方法】変更
【補正の内容】
【００１１】
以上のとおり、本発明によれば、長さの異なる試料容器を用いる場合であってもオペレータに煩雑な操作を要求することなく簡便に使用可能な検体処理装置およびラックを提供することができる。